(57)【要約】【課題】第一の画像信号に基づく第一の画像を表示中に、第一の画像信号とは異なる通信経路から第二の画像信号が入力された場合に、第二の画像信号に基づく第二の画像を表示可能であることを報知するとともに、ユーザーが指示していないにも関わらず第二の画像が表示され続けることがない表示装置を提供する。【解決手段】複数の通信経路から画像信号を入力する信号入力部と、前記画像信号に基づいて画像を表示する表示部と、第一の前記通信経路から入力される第一の画像信号に基づいて第一の前記画像を表示ししているとき、第二の前記通信経路から第二の画像信号が入力される場合、前記第一の画像とともに、前記第二の画像信号に基づく第二の前記画像の表示を開始し、前記第二の画像の表示を開始してから予め設定される時間が経過した後に前記第二の画像の表示を終了する制御部と、を備える表示装置。【選択図】図４
2015165268.tif 000002
【特許請求の範囲】
【請求項１】
複数の通信経路から画像信号を入力する信号入力部と、
前記画像信号に基づいて画像を表示する表示部と、
第一の前記通信経路から入力される第一の画像信号に基づいて第一の前記画像を表示ししているとき、第二の前記通信経路から第二の画像信号が入力される場合、前記第一の画像とともに、前記第二の画像信号に基づく第二の前記画像の表示を開始し、前記第二の画像の表示を開始してから予め設定される時間が経過した後に前記第二の画像の表示を終了する制御部と、
を備える表示装置。
【請求項２】
前記制御部は、前記複数の通信経路のうち予め設定される前記通信経路から前記第二の画像信号が入力されない場合、前記第二の画像に基づく第二の画像の表示を開始せず、前記予め設定される通信経路から前記第二の画像信号が入力される場合、前記第二の画像に基づく第二の画像の表示を開始する、
請求項１に記載の表示装置。
【請求項３】
前記制御部は、予め設定されるフォーマットの前記第二の画像信号が入力されない場合、前記第二の画像信号に基づく第二の画像の表示を開始せず、前記予め設定されるフォーマットの第二の画像信号が入力される場合、前記第二の画像信号に基づく第二の画像の表示を開始する、
請求項１または２に記載の表示装置。
【請求項４】
前記制御部は、前記第二の画像信号が入力された前記第二の通信経路の属性に応じて、前記第二の画像信号に基づく第二の画像の表示形態を変更する、
請求項１から３のいずれか一項に記載の表示装置。
【請求項５】
前記制御部は、前記第二の画像信号のフォーマットに応じて、前記第二の画像信号に基づく第二の画像の表示形態を変更する、
請求項１から４のいずれか一項に記載の表示装置。
【請求項６】
複数の通信経路から画像信号を入力する段階と、
前記画像信号に基づいて画像を表示する段階と、
第一の前記通信経路から入力される第一の画像信号に基づいて第一の前記画像を表示ししているとき、第二の前記通信経路から第二の画像信号が入力される場合、前記第一の画像とともに、前記第二の画像信号に基づく第二の前記画像の表示を開始し、前記第二の画像の表示を開始してから予め設定される時間が経過した後に前記第二の画像の表示を終了する段階と、
を含む表示方法。
【発明の詳細な説明】
【技術分野】
【０００１】
本発明は表示装置および表示方法に関する。
【背景技術】
【０００２】
従来、画像信号を入力する端子を複数備える表示装置が知られている。特許文献１には、第一の端子から入力される第一の画像信号に基づく画像を表示しているときに、第二の端子から第二の画像信号が入力された場合に、第一の画像とともに、第二の画像信号に基づく第二の画像を自動で表示する技術が開示されている。
【先行技術文献】
【特許文献】
【０００３】
【特許文献１】特開２０１１−１０９５０４号公報
【発明の概要】
【発明が解決しようとする課題】
【０００４】
しかし、特許文献１に記載された技術によって自動表示される第二の画像が、ユーザーにとって表示させたくない画像である場合、ユーザーは第二の画像の表示を終了させる操作を強いられるという問題がある。
【０００５】
本発明は、このような問題を解決するために創作されたものであって、第一の画像信号に基づく第一の画像を表示中に、第一の画像信号とは異なる通信経路から第二の画像信号が入力された場合に、第二の画像信号に基づく第二の画像を表示可能であることを報知するとともに、ユーザーが指示していないにも関わらず第二の画像が表示され続けることがない表示装置を提供することを目的とする。
【課題を解決するための手段】
【０００６】
（１）上記目的を達成するための表示装置は、複数の通信経路から画像信号を入力する信号入力部と、前記画像信号に基づいて画像を表示する表示部と、第一の前記通信経路から入力される第一の画像信号に基づいて第一の前記画像を表示しているとき、第二の前記通信経路から第二の画像信号が入力される場合、前記第一の画像とともに、前記第二の画像信号に基づく第二の前記画像の表示を開始し、前記第二の画像の表示を開始してから予め設定される時間が経過した後に前記第二の画像の表示を終了する制御部と、を備える。
【０００７】
本発明によると、第一の画像が表示されているときに第二の通信経路から第二の画像信号が入力されると、第二の画像信号に基づく第二の画像が第一の画像とともに表示されるため、第一の画像を表示した状態であっても、ユーザーは第二の画像信号に基づく第二の画像を表示可能であることを認識することができる。また、第二の通信経路から第二の画像信号が入力されても、予め決められた時間が経過すると、第二の画像の表示が終了するため、ユーザーが指示していないにも関わらず、第二の画像が表示され続けることがない。
【０００８】
（２）上記目的を達成するための表示装置において、前記制御部は、前記複数の通信経路のうち予め設定される前記通信経路から前記第二の画像信号が入力されない場合、前記第二の画像に基づく第二の画像の表示を開始せず、前記予め設定される通信経路から前記第二の画像信号が入力される場合、前記第二の画像に基づく第二の画像の表示を開始してもよい。
この構成を採用する場合、第一の画像とともに所定時間だけ第二の画像として表示される第二の画像信号を入力する通信経路を限定することができる。
【０００９】
（３）上記目的を達成するための表示装置において、前記制御部は、予め設定されるフォーマットの前記第二の画像信号が入力されない場合、前記第二の画像に基づく第二の画像の表示を開始せず、前記予め設定されるフォーマットの第二の画像信号が入力される場合、前記第二の画像に基づく第二の画像の表示を開始してもよい。
この構成を採用する場合、第一の画像とともに所定時間だけ第二の画像として表示される第二の画像信号のフォーマットを限定することができる。
【００１０】
（４）上記目的を達成するための表示装置において、前記制御部は、前記第二の画像信号が入力された前記第二の通信経路の属性に応じて、前記第二の画像信号に基づく第二の画像の表示形態を変更してもよい。
この構成を採用する場合、例えば、ユーザーは、どの通信経路から第二の画像信号が入力されたかを認識できる。ここで属性には、例えば通信規格や入力端子の位置等が含まれる。
【００１１】
（５）上記目的を達成するための表示装置において、前記制御部は、前記第二の画像信号のフォーマットに応じて、前記第二の画像信号に基づく第二の画像の表示形態を変更してもよい。
この構成を採用する場合、例えばユーザーは、第二の画像信号のフォーマットを認識できる。
【００１２】
尚、本発明は、表示方法に適用することも可能である。また請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。
【図面の簡単な説明】
【００１３】
【図１】本発明の実施形態にかかるブロック図。
【図２】本発明の実施形態にかかる画面構成図。
【図３】本発明の実施形態にかかる画面構成図。
【図４】本発明の実施形態にかかるフローチャート。
【発明を実施するための形態】
【００１４】
以下、本発明の実施の形態を添付図面を参照しながら説明する。尚、各図において対応する構成要素には同一の符号が付され、重複する説明は省略される。
１．概要
本発明の一実施例によるプロジェクター１は、壁、机、専用スクリーン等に画像を投写する表示装置である。プロジェクター１は、複数の入力端子を備え、複数の外部機器のそれぞれから入力される画像信号に基づいて２つ以上の画像を同時に投写するＰＩＰ（Picture In Picture）を実行することができる。そして、自らが出力している画像信号に基づく画像が投写されている外部機器とは別の外部機器から画像信号の入力が開始された場合、プロジェクター１はＰＩＰを開始し、ＰＩＰを開始してから所定時間が経過するとＰＩＰを終了する。また、プロジェクター１には、ＰＩＰのサブ画面として表示する対象の画像信号とサブ画面の表示形態を予め設定しておくことができる。
【００１５】
２．プロジェクターの構成
図１に示すように、プロジェクター１は、表示部として、投写光源１７、液晶ライトバルブ１０、液晶駆動部１１、ＯＳＤ処理部１２、画像信号処理部１３を備えるほか、画像信号入力部１４、制御部１５、外部記憶１５１、光源駆動部１６、操作部１８、電源部１９等を備えている。投写光源１７は、高圧水銀灯、ＬＥＤ、レーザー等によって構成され、光源駆動部１６によって駆動される。画像信号入力部１４は、Ｄ−Ｓｕｂ（ＲＳ２３２ｃ）端子、コンポジット端子、Ｓ端子、ＨＤＭＩ端子、ＵＳＢ端子、イーサネット端子等、複数種類の入力端子を備え、複数の外部機器から各種の画像信号が入力される。また、画像信号入力部１４は、同一規格の端子を複数備えても良く、本実施例では、ＨＤＭＩ端子を２つ備えるものとする。画像信号処理部１３は、外部機器から入力された画像信号に基づいて表示形態に応じた画像データを生成する。ＯＳＤ処理部１２は、外部機器から入力された画像信号に基づく画像データと、制御部１５が生成する文字等を表す画像データとを合成して出力する。液晶駆動部１１は、ＯＳＤ処理部１２から出力される画像データを、液晶ライトバルブ１０の各画素を駆動するためのアナログ信号に変換する。液晶ライトバルブ１０は、投写光源１７から放射され図示しないダイクロイックミラーによって分離された赤、緑、青の波長の光の透過率をそれぞれが画素毎に制御する３つの液晶パネル１０ａ、１０ｂ、１０ｃを備える。投写光源１７から照射されて液晶ライトバルブ１０を透過した光は、図示しないダイクロイックプリズムによって合成され、レンズ、凹面鏡等によって放射され、壁、机、専用スクリーン等の投写面に像を結ぶ。制御部１５は、外部記憶１５１に格納されている制御プログラムを実行することにより、プロジェクター１の各部を制御する。操作部１８は制御部１５に各種の指示を入力するためのスイッチやタッチパネルディスプレイを備える。
【００１６】
３．プロジェクターの作動
まず、自らが出力している第一の画像信号に基づく画像が投写されている第一の外部機器とは別の第二の外部機器から第二の画像信号の入力が開始された場合に、第二の画像信号に基づく第二の画像をＰＩＰのサブ画面としての表示対象とするかどうかを設定する操作について説明する。この操作は、図２に示す設定画面を用いて行われる。設定画面は、制御部１５が選択肢の文字などを表す画像データをＯＳＤ処理部１２に出力することによって投写される。制御部１５は、操作部１８に対する操作に応じて項目を選択する。例えば選択キーで項目の仮選択指示を受け付け、決定キーによって選択の決定指示を受け付ける。
【００１７】
図２Ａに示す設定画面では、選択項目として次の端子の種類が表示される。「ＰＣ」はＤ−Ｓｕｂ端子に、「Ｃ−Ｖｉｄｅｏ」はコンポジット端子に、「Ｓ−Ｖｉｄｅｏ」はＳ端子に、「ＨＤＭＩ  １」は第一のＨＤＭＩ端子に、「ＨＤＭＩ  ２」は第二のＨＤＭＩ端子に、「ＵＳＢ」はＵＳＢ端子に、「ＬＡＮ」はイーサネット端子に、それぞれ対応している。選択された項目に対応する端子から入力された第二の画像信号は、サブ画面としてＰＩＰ表示される対象となる。すなわち、図２Ａに示す設定画面は、入力される第二の画像信号が第一の画像とともに表示される対象として扱われる通信経路を設定するためのＧＵＩである。
【００１８】
図２Ｂに示す設定画面では、選択項目として次の信号種別が表示される。「Ｖｉｄｅｏ系」は、ＮＴＳＣ、ＰＡＬ、ＳＥＣＡＭといったコンポジット映像信号が入力されるコンポジット端子およびＳ端子、ならびに、デジタル映像信号が入力される第一のＨＤＭＩ端子および第二のＨＤＭＩ端子に対応している。「ＰＣ系」は、Ｄ−Ｓｕｂ端子、ＵＳＢ端子およびイーサネット端子に対応している。選択された項目に対応する複数の端子のいずれかから入力された画像信号は、サブ画面としてＰＩＰ表示される対象となる。すなわち、図２Ｂに示す設定画面は、入力される第二の画像信号が第一の画像とともに表示される対象として扱われる通信経路を複数同時に選択して設定するためのＧＵＩである。
【００１９】
図２Ｃに示す設定画面では、選択項目として次の解像度が表示される。「１０８０ｐ」は有効垂直解像度１０８０本のプログレッシブ方式に対応し、「１０８０ｉ」は有効垂直解像度１０８０本のインターレース方式に対応し、「７２０ｐ」は有効垂直解像度７２０本のプログレッシブ方式に対応し、４８０ｐは有効垂直解像度４８０本のプログレッシブ方式に対応し、４８０ｉは有効垂直解像度４８０本のインターレース方式に対応している。選択された項目に対応する解像度の画像信号は、サブ画面としてＰＩＰ表示される対象となる。すなわち、図２Ｃに示す設定画面は、第一の画像とともに表示される第二の画像信号のフォーマットを設定するためのＧＵＩである。
【００２０】
図２Ｄに示す設定画面では、選択項目として次の放送信号の系列が表示される。「ＳＤ」は標準画質テレビジョン放送信号に対応し、「ＨＤ」は高精細度テレビジョン放送信号に対応する。例えば、インターレース方式の場合には有効垂直解像度が１１２５本以上、プログレッシブ方式の場合は有効垂直解像度が７５０本以上の放送信号を高精細度テレビジョン放送信号として扱うものとする。選択された項目に対応する解像度の放送信号は、サブ画面としてＰＩＰ表示される対象となる。すなわち、図２Ｄに示す設定画面は、第一の画像とともに表示される第二の画像信号のフォーマットを複数同時に選択して設定するためのＧＵＩである。
【００２１】
次に、ＰＩＰにおけるサブ画面の表示形態を設定する操作について説明する。この操作は、サブ画面に表示される画像信号の通信経路またはフォーマットが設定された後に、設定された通信経路とフォーマットに関連づけて、図３Ａに示す設定画面を用いて行われる。例えば、図２に示す設定画面で選択の確定操作が行われると、制御部１５は、図３Ａに示す設定画面を表示し、図３Ａに示す設定画面で項目が選択されると、図２に示す設定画面で選択された通信経路又はフォーマットについて、図３Ａに示す設定画面で選択された表示形態を設定する。
【００２２】
図３Ａに示す設定画面では、「１／２」、「１／４」、「１／８」がサブ画面の表示サイズの選択項目として表示される。例えば図２Ａに示すように第一のＨＤＭＩ端子と第二のＨＤＭＩ端子とが選択された後に、図３Ａに示すように「１／４」が選択された場合、第一の画像を表示中に第一のＨＤＭＩ端子または第二のＨＤＭＩ端子から第二の画像信号が入力されると、図３Ｂに示すように、第二の画像信号に基づく第二の画像で構成された、全画面サイズの１／４の大きさのサブ画面（２の領域）が第一の画像で構成されたメイン画面（１の領域）の上に重ねて表示される。
【００２３】
次に図４を参照しながら、プロジェクター１のＰＩＰの表示方法について説明する。図４に示す処理は、画像信号入力部１４のいずれか１つの端子から第一の画像信号が入力されており、第一の画像信号に基づいて第一の画像が投写されている状態で繰り返し実行される。
【００２４】
はじめに制御部１５は、新たな画像信号が入力されたか否かを判定する（Ｓ１）。新たな画像信号が入力されていなければ以下に述べる後続の処理は実行されず、新たな画像信号が入力されるまで判定が繰り返される。新たな画像信号が入力されたか否かは、端子毎に画像信号の入力状態を監視することで判定することができる。
【００２５】
新たな画像信号が入力された場合、制御部１５は、新たな画像信号が、現在表示中の第一の画像信号が入力されている入力端子から入力されたか否かを判定する（Ｓ２）。すなわち、現在表示中の第一の画像信号とは異なる第二の画像信号が、第一の画像信号が入力されている第一の通信経路とは異なる第二の通信経路から入力されたか否かが判定される。新たな画像信号が、現在表示中の第一の画像信号が入力されている入力端子から入力されていれば、ステップＳ１の判定に戻る。
【００２６】
新たな画像信号が、現在表示中の第一の画像信号が入力されている入力端子とは異なる入力端子から入力された第二の画像信号である場合、制御部１５は、第二の画像信号がサブ画面の表示対象として設定されている入力端子から入力されているか否かを判定する（Ｓ３）。第二の画像信号がサブ画面の表示対象として設定されている入力端子から入力されてなければ、ステップＳ１の判定に戻る。すなわち、予め設定される通信経路から第二の画像信号が入力されない場合、第二の画像信号に基づく第二の画像の表示は開始されない。
【００２７】
第二の画像信号がサブ画面の表示対象として設定されている入力端子から入力されている場合、制御部１５は、第二の画像信号がサブ画面の表示対象として設定されているフォーマットか否かを判定する（Ｓ４）。第二の画像信号がサブ画面の表示対象として設定されているフォーマットでなければ、ステップＳ１の判定に戻る。すなわち、予め設定されるフォーマットの第二の画像信号が入力されない場合、第二の画像信号に基づく第二の画像は表示されない。
【００２８】
第二の画像信号がサブ画面の表示対象として設定されているフォーマットである場合、制御部１５は、第二の画像信号に基づく第二の画像をサブ画面として表示するＰＩＰを開始する（Ｓ５）。すなわち、予め設定される通信経路から、予め設定されるフォーマットの第二の画像信号が入力された場合、第一の画像で構成されるメイン画面に、第二の画像信号に基づく第二の画像で構成されたサブ画面が重ねて表示される。具体的には、制御部１５の指示により、画像信号処理部１３は画像信号入力部１４から入力される第二の画像信号に基づいて、設定されたサブ画面のサイズに応じた第二の画像データを生成し、現在投写している第一の画像データと第二の画像データとを合成し、ＯＳＤ処理部１２を経由して、液晶駆動部１１に出力する。液晶駆動部１１は第一の画像データと第二の画像データとが合成された全画面サイズの画像データを、液晶パネル１０ａ、１０ｂ、１０ｃの各画素を駆動するためのアナログ信号に変換して液晶パネル１０ａ、１０ｂ、１０ｃに出力する。その結果、第二の画像信号に基づく第二の画像で構成されたサブ画面が、第一の画像信号に基づく第一の画像で構成されたメイン画面の前に重ねて表示される。
【００２９】
このとき、第二の画像で構成されたサブ画面の表示形態は、第二の画像信号の通信経路とフォーマットに対応付けて予め設定された形態となる。すなわち、制御部１５は、第二の画像信号が入力された第二の通信経路の端子と、第二の画像信号のフォーマットに応じて、サブ画面の表示サイズを変更する。
【００３０】
制御部１５は、あらかじめ設定されている規定時間だけ、第一の画像とともに第二の画像を表示するＰＩＰを継続する（Ｓ６）。継続時間は例えば数秒間に設定しておく。なお、ＰＩＰの継続時間中に、メイン画面の切換指示や、サブ画面の表示継続指示を操作部１８で受け付けても良い。具体的には例えば、ＰＩＰの継続時間中に操作部１８の所定のキーが操作された場合には、制御部１５は第一の画像信号に基づく表示を終了し、第二の画像信号に基づく第二の画像を全画面表示しても良い。また例えば、ＰＩＰの継続時間中に操作部１８の所定のキーが操作された場合には、制御部１５は、第二の画像信号に基づく第二の画像で構成されたサブ画面の表示を、第二の画像信号が入力されている期間中、継続するようにしても良い。
【００３１】
ＰＩＰの表示を開始してから規定時間が経過すると、制御部１５は、ＰＩＰの表示を終了する（Ｓ７）。すなわち、第二の画像信号にもとづく第二の画像で構成されたサブ画面の表示を終了する。具体的には、制御部１５の指示により、画像信号処理部１３は、第二の画像信号に基づく画像データを第一の画像データと合成する処理を停止する。その結果、第一の画像信号に基づく画像データがそのまま出力されるようになり、ＰＩＰの表示が終了する。なお、入力端子の設定やフォーマットの設定において、必ずしもすべての項目が選択されている必要はない。例えば、図２Ａにおいて、「ＨＤＭＩ１」を選択するだけにしておいて、図２Ｂ、図２Ｃ、図２Ｄの各項目は選択しなくても良い。この場合、サブ画面を表示するための条件としては、「ＨＤＭＩ１」に信号が入力されたかどうかだけである。
【００３２】
以上説明した実施例によると、第一の画像信号に基づいて第一の画像が表示されているときに第二の通信経路から第二の画像信号が入力されると、第二の画像信号に基づく第二の画像が第一の画像とともに表示されるため、第一の画像を表示した状態であっても、ユーザーは第二の画像信号に基づく第二の画像を表示可能であることを認識することができる。また、第二の通信経路から第二の画像信号が入力されても、予め決められた時間が経過すると、第二の画像の表示が終了するため、ユーザーが指示していないにも関わらず、第二の画像が表示され続けて、第一の画像が第二の画像によって遮られることがない。また第一の画像とともに所定時間だけ第二の画像として表示される第二の画像信号を入力する通信経路を限定することができる。また、第一の画像とともに所定時間だけ第二の画像として表示される第二の画像信号を入力する通信経路を限定することができる。また、第二の画像の表示形態が第二の画像信号の通信経路やフォーマットによって変更されるため、ユーザーは、どの通信経路からどのフォーマットの第二の画像信号が入力されたかを認識できる。したがって、ユーザーは、第二の画像のサブ画面表示を継続すべきか、あるいは、第二の画像をメイン画面に切り換えるべきかを容易に判断することができる。
【００３３】
４．他の実施形態
尚、本発明の技術的範囲は、上述した実施例に限定されるものではなく、本発明の要旨を逸脱しない範囲内において種々変更を加え得ることは勿論である。
例えば、画像信号の送信元を特定することで通信経路を判定しても良い。具体的にはＬＡＮでプロジェクター１に接続される複数のＰＣ（Personal Computer）から画像信号が入力される場合、送信元のＰＣを特定することで通信経路を判定しても良い。この場合、１つの入力端子が複数の通信経路の入力端子として機能していても、画像信号の送信元毎に、第二の画像信号に基づいて第二の画像を第一の画像とともに表示するか否かを制御できる。また例えばフレームデータ毎に第二の画像信号が入力されたか否かを判定してもよい。
また例えば、第二の画像信号のフォーマットは、解像度の他に、ＮＴＳＣ、ＰＡＬ，ＪＰＥＧ，ＰＤＦ，ＰＮＧ，ＧＩＦといったデータ形式に基づいて判定しても良い。
また例えば、第二の画像信号の表示形態は、ユーザーに設定させずに予めフォーマットや通信経路に関連づけて設定しておいても良いし、フォーマットや通信経路にかかわらず、同一であっても良い。
【００３４】
また例えば、画像を投写するために、１つの液晶パネルを用いて光を変調しても良いし、反射型の液晶パネルを用いて光を変調しても良いし、ＤＭＤ（Digital Mirror Device）を用いて光を変調しても良い。また例えば投写画像を拡大投写するために凸面鏡を用いても良いし、鏡を用いなくても良い。
また例えば、液晶パネルディスプレイや、プラズマディスプレイ、有機ＥＬディスプレイ等のプロジェクター以外の表示装置に本発明を適用しても良い。
【符号の説明】
【００３５】
１・・・プロジェクター、１０・・・液晶ライトバルブ、１０ａ、１０ｂ、１０ｃ・・・液晶パネル、１１・・・液晶駆動部、１２・・・ＯＳＤ処理部、１３・・・画像信号処理部、１４・・・画像信号入力部、１５・・・制御部、１６・・・光源駆動部、１７・・・投写光源、１８・・・操作部、１９・・・電源部、１５１・・・外部記憶
【図１】
2015165268.tif 000003
【図２】
2015165268.tif 000004
【図３】
2015165268.tif 000005
【図４】
2015165268.tif 000006